(57)【要約】【課題】書棚や机の上等に並べたファイルが倒れないように、また背表紙の位置を揃えて複数のファイルを積み重ねてもファイルがすべり落ちないようにできる装置を提供する。【解決手段】間隔保持装置Ｂである。この間隔保持装置Ｂは、第１の溝部１１０と、第２の溝部２１０と、第３の溝部３１０と、を備えている。第１の溝部１１０には、ファイル４００の一方表紙４１０を挟持する溝１１１が形成されている。また、第２の溝部２１０には、ファイル４００の他方表紙４２０を挟持する溝２１１が形成されている。また、第３の溝部３１０は、第１の溝部１１０と第２の溝部２１０との間に位置し、ファイル４００に綴じる資料４４０の一部が挿入される溝３１１が形成されている。第１の溝部１１０と第２の溝部２１０と第３の溝部３１０とが一体形成されている。【選択図】図３
2009006483.tif 000002
【特許請求の範囲】
【請求項１】
ファイルの一方表紙を挟持する第１の挟持部と、
前記ファイルの他方表紙を挟持する第２の挟持部と、
前記第１の挟持部と前記第２の挟持部とを所定の間隔で保持する保持部と、
を備えたことを特徴とする間隔保持装置。
【請求項２】
ファイルの一方表紙を挟持する溝が形成された第１の溝部と、
前記ファイルの他方表紙を挟持する溝が形成された第２の溝部と、
前記第１の溝部と前記第２の溝部との間に位置し、前記ファイルに綴じる資料の一部が挿入される溝が形成された第３の溝部と、
を備え、
前記第１の溝部と前記第２の溝部と前記第３の溝部とが一体形成された、
ことを特徴とする間隔保持装置。
【請求項３】
略Ｌ字の形状を有し、Ｌ字における一方の面がファイルの一方表紙を挟持する溝を有する形状とされ、Ｌ字における他方の面が第１の組み合わせ部とされた第１の略Ｌ字部と、
略Ｌ字の形状を有し、Ｌ字における一方の面が前記第１の組み合わせ部に組み合わせられる第２の組み合わせ部とされ、Ｌ字における他方の面が前記ファイルの他方表紙を挟持する溝を有する形状とされた第２の略Ｌ字部と、
を備え、
前記第１の組み合わせ部に前記第２の組み合わせ部を組み合わせた場合に、前記第１の略Ｌ字部と前記第２の略Ｌ字部とが所定の間隔で保持され、
前記第１の略Ｌ字部におけるＬ字の一方の面と前記第２の略Ｌ字部におけるＬ字の他方の面との間には、前記ファイルに綴じる資料の一部が挿入される、
ことを特徴とする間隔保持装置。
【請求項４】
前記第１の組み合わせ部と前記第２の組み合わせ部とは、組み合わせ位置を段階的に変えることができる形状に形成されている、ことを特徴とする請求項３に記載の間隔保持装置。
【請求項５】
２以上の切欠が形成された胴体部と、
前記胴体部の一端よりに形成された第１の肩部と、
前記胴体部に沿った上下動が可能な第２の肩部と、
前記第２の肩部に形成され、前記胴体部の切欠に嵌められることにより、前記第２の肩部の上下動を停止させる上下動停止部と、
前記第１の肩部から一方に伸びる第１の腕部と、
前記第１の肩部から他方に伸びる第２の腕部と、
前記第２の肩部から一方に伸びる第３の腕部と、
前記第２の肩部から他方に伸びる第４の腕部と、
前記第１の腕部と前記第３の腕部とに支持され、ファイルの一方表紙を挟持する溝を有する第１の手部と、
前記第２の腕部と前記第４の腕部とに支持され、前記ファイルの他方表紙を挟持する溝を有する第２の手部と、
前記第２の肩部を前記胴体部に沿って上下動させると、前記第１の手部及び前記第２の手部が、前記第１、第２、第３、及び第４の腕部によって、前記第１の手部と前記第２の手部との間隔を変化させつつ持ち上げ又持ち下げられ、
前記第２の肩部の上下動停止部を前記胴体部の切欠に嵌めると、前記第１、第２、第３、及び第４の腕部による持ち上げ又は持ち下げが停止され、前記第１の手部と前記第２の手部との間隔が所定の間隔に保持される、
ことを特徴とする間隔保持装置。
【請求項６】
ファイルの一方表紙を挟持する溝が形成された第１の溝部と、
前記ファイルの他方表紙を挟持する溝が形成された第２の溝部と、
前記第１の溝部と前記第２の溝部との間に位置し、前記第１の溝部と前記第２の溝部とを所定の間隔で保持する棒状体と、
を備えたことを特徴とする間隔保持装置。
【発明の詳細な説明】
【技術分野】
【０００１】
本発明は、ファイルの転倒を防止したり、また、ファイルを積み重ねたりできるようにする装置に関する。
【背景技術】
【０００２】
現在、書棚や机の上等に並べられたファイルの転倒防止には、本（ブック）の転倒を防止するブックエンド（特許文献１参照）が流用されている。
【特許文献１】特開２００６−２９６８４９号公報
【発明の開示】
【発明が解決しようとする課題】
【０００３】
しかしながら、ファイルは、本（ブック）とは異なり、仕事等の進捗に合わせて、これに綴じられる資料の枚数が徐々に増えていくものであり、綴じられている資料の枚数が最大綴数に近づくまでは、背表紙から反対側に行くに従って幅狭となり、いつ倒れるか分からないというような不安定な形状をしている。
【０００４】
このため、ファイルは、綴じられている資料の枚数が少ない場合、これを複数並べてブックエンドで支持しても、自らの自重でブックエンドを押し倒して倒れてしまったり、固定された２つのブックエンドの間または壁とブックエンドとの間において倒れてしまったりするという問題があり、ファイルの使用者は、倒れては立て直し、倒れては立て直しの繰り返しで、ファイルに綴じられている資料の枚数が最大綴数に近づくまで、書棚や机の上等を十分に整理整頓できないという問題があった。
【０００５】
また、このような状況を踏まえて、複数のファイルを立て並べることなく積み重ねることとした場合においても、背表紙の位置を揃えると、資料の枚数が少ないファイルまたはこのファイルの上に積まれたファイルがすべり落ちるという問題があった。このため、このすべり落ちを防止するためには、背表紙の位置を交互にするなどしてファイルを積み重ねなければならず、背表紙に貼り付けられているラベルなどを一方向から容易に確認するということができなかった。
【０００６】
そこで、本発明は、ファイルを、これに綴じられている資料の枚数が少ない場合であっても、書棚や机の上等に並べて倒れないようにでき、また、背表紙の位置を揃えて複数のファイルを積み重ねてもファイルがすべり落ちないようにできる装置を提供することを目的とする。
【課題を解決するための手段】
【０００７】
本発明によれば、上記課題は、次の手段により達成される。
【０００８】
［第１の発明］
第１の発明は、ファイルの一方表紙を挟持する第１の挟持部と、前記ファイルの他方表紙を挟持する第２の挟持部と、前記第１の挟持部と前記第２の挟持部とを所定の間隔で保持する保持部と、を備えたことを特徴とする間隔保持装置である。
【０００９】
第１の発明によれば、保持部によって第１、第２の挟持部が所定の間隔で保持され、この所定の間隔で保持された第１、第２の挟持部によってファイルの一方表紙、他方表紙が挟持される。したがって、第１の発明によれば、ファイルにおける背表紙から反対側に行くまでの幅が、これに綴じられている資料の枚数が少ない場合であっても、最大綴数を綴じた場合と同様に略一定に保持される。よって、第１の発明によれば、ファイルは、これに綴じられている資料の枚数が少ない場合であっても自立できるようになり、書棚や机の上等に並べても倒れない。また、第１の発明によれば、背表紙の位置を揃えて複数のファイルを積み重ねた場合においても、資料の枚数が少ないファイルまたはこのファイルの上に積まれたファイルがすべり落ちることがないようにできる。
【００１０】
［第２の発明］
第２の発明は、ファイルの一方表紙を挟持する溝が形成された第１の溝部と、前記ファイルの他方表紙を挟持する溝が形成された第２の溝部と、前記第１の溝部と前記第２の溝部との間に位置し、前記ファイルに綴じる資料の一部が挿入される溝が形成された第３の溝部と、を備え、前記第１の溝部と前記第２の溝部と前記第３の溝部とが一体形成された、ことを特徴とする間隔保持装置である。
【００１１】
書棚や机の上等に並べられるファイルは、頻繁に開け閉めされるものである。また、業務の忙しさに鑑みると、このようなファイルが丁寧に使用されることは期待し難い。したがって、本発明に係る間隔保持装置は、ファイルを雑な用い方で頻繁に開け閉めする場合においても、ファイルに簡単に取り付けることができ、手を煩わせることなく、忙しい業務の邪魔にならないものであることが望ましい。
そこで、第２の発明は、ファイルの一方表紙、他方表紙を挟持する第１、第２の溝部と、これらの間に形成される第３の溝部とを一体形成することにした。
このようにすれば、間隔保持装置を構成する一部の細かな部材が、ファイルを開け閉めしている最中に取れて、書棚や机等の下に転がり落ち、これを探すのに時間を割かなければならないという事態が防止され、また、発見した部材を取り出すために、数人掛かりで書棚や机等を動かさなければならなくなるという事態も防止される。
また、第２の発明においては、間隔保持装置をファイルに取り付ける場合、ファイルの一方表紙、他方表紙を第１、第２の溝部における溝に差し込めばよく、また、間隔保持装置をファイルから取り外す場合、ファイルの一方表紙、他方表紙を第１、第２の溝部における溝から抜き出せばよい。したがって、第２の発明によれば、間隔保持装置を、簡単な作業でファイルに取り付け、取り外すことができるようになる。
よって、第２の発明に係る間隔保持装置は、ファイルを雑な用い方で頻繁に開け閉めする場合においても、ファイルに簡単に取り付けることができるものであり、手を煩わせることがなく、忙しい業務の邪魔にならないものである。
【００１２】
［第３の発明］
第３の発明は、略Ｌ字の形状を有し、Ｌ字における一方の面がファイルの一方表紙を挟持する溝を有する形状とされ、Ｌ字における他方の面が第１の組み合わせ部とされた第１の略Ｌ字部と、略Ｌ字の形状を有し、Ｌ字における一方の面が前記第１の組み合わせ部に組み合わせられる第２の組み合わせ部とされ、Ｌ字における他方の面が前記ファイルの他方表紙を挟持する溝を有する形状とされた第２の略Ｌ字部と、を備え、前記第１の組み合わせ部に前記第２の組み合わせ部を組み合わせた場合に、前記第１の略Ｌ字部と前記第２の略Ｌ字部とが所定の間隔で保持され、前記第１の略Ｌ字部におけるＬ字の一方の面と前記第２の略Ｌ字部におけるＬ字の他方の面との間には、前記ファイルに綴じる資料の一部が挿入される、ことを特徴とする間隔保持装置である。
【００１３】
多数のファイルを綴じることができるファイルについては、その背表紙の幅が大きいため、このファイルに用いられる間隔保持装置も、その形状が大きくなる。このような大きな間隔保持装置は、これをファイルに取り付けている際には業務の邪魔にならないが、これをファイルに取り付けることなく机の引き出しの中に入れて保管等している際には、邪魔になる。蓋し、このような大きな間隔保持装置は、鉛筆、消しゴムなどの筆記具や電卓などが事細かに整理整頓されている引き出しの中において幅を占めるため、筆記具や電卓などの取り扱いを不便にする上、場合によっては、引き出しの開け閉めの支障になるのである。
そこで、第３の発明は、第１の略Ｌ字部と第２の略Ｌ字部とを組み合わせて間隔保持装置を構成することにし、第１のＬ字部と第２のＬ字部とを組み外した場合に、これらを重ねることができるようにした。このようにすれば、間隔保持装置は、組み外された第１、第２の略Ｌ字部を重ねた上、Ｌ字の角を机等の引き出しの一角などに合わせるようにして、収納することが可能となる。したがって、第３の発明によれば、間隔保持装置は、筆記具や電卓などが事細かに整理整頓されている引き出しの中において幅を占めるということがなく、筆記具や電卓などの取り扱いや、引き出しの開け閉めの支障にならない。
【００１４】
［第４の発明］
第４の発明は、前記第１の組み合わせ部と前記第２の組み合わせ部とは、組み合わせ位置を段階的に変えることができる形状に形成されている、ことを特徴とする第３の発明に係る間隔保持装置である。
【００１５】
最大綴数の異なるファイルについては、その背表紙の幅が異なるため、それぞれ異なる大きさの間隔保持装置を用いる必要がある。しかしながら、最大綴数の異なる複数のファイルの使用者が、それぞれのファイルの背表紙の幅を確認し、それぞれのファイルに適した大きさの間隔保持装置を購入・使用などしなければならないとすると、手間が掛かり、業務の支障となる。
そこで、第４の発明は、第３の発明の構成において、第１の略Ｌ字部における第１の組み合わせ部と第２の略Ｌ字部における第２の組み合わせ部とが、組み合わせ位置を段階的に変えることができる形状に形成されているものとすることにより、１つの間隔保持装置の大きさを、ファイルの背表紙の幅に応じて変えることができるようにした。
よって、第４の発明によれば、１つの間隔保持装置を最大綴数の異なる複数のファイル間で流用できるため、業務の負担が軽減される。
【００１６】
［第５の発明］
第５の発明は、２以上の切欠が形成された胴体部と、前記胴体部の一端よりに形成された第１の肩部と、前記胴体部に沿った上下動が可能な第２の肩部と、前記第２の肩部に形成され、前記胴体部の切欠に嵌められることにより、前記第２の肩部の上下動を停止させる上下動停止部と、前記第１の肩部から一方に伸びる第１の腕部と、前記第１の肩部から他方に伸びる第２の腕部と、前記第２の肩部から一方に伸びる第３の腕部と、前記第２の肩部から他方に伸びる第４の腕部と、前記第１の腕部と前記第３の腕部とに支持され、ファイルの一方表紙を挟持する溝を有する第１の手部と、前記第２の腕部と前記第４の腕部とに支持され、前記ファイルの他方表紙を挟持する溝を有する第２の手部と、前記第２の肩部を前記胴体部に沿って上下動させると、前記第１の手部及び前記第２の手部が、前記第１、第２、第３、及び第４の腕部によって、前記第１の手部と前記第２の手部との間隔を変化させつつ持ち上げ又持ち下げられ、前記第２の肩部の上下動停止部を前記胴体部の切欠に嵌めると、前記第１、第２、第３、及び第４の腕部による持ち上げ又は持ち下げが停止され、前記第１の手部と前記第２の手部との間隔が所定の間隔に保持される、ことを特徴とする間隔保持装置である。
【００１７】
第５の発明によれば、第２の肩部を胴体部に沿って上下動させることにより、第１の手部と第２の手部との間隔が変わる。したがって、第５の発明によれば、１つの間隔保持装置を最大綴数の異なる複数のファイル間で流用できるため、業務の負担が軽減される。
【００１８】
［第６の発明］
第６の発明は、ファイルの一方表紙を挟持する溝が形成された第１の溝部と、前記ファイルの他方表紙を挟持する溝が形成された第２の溝部と、前記第１の溝部と前記第２の溝部との間に位置し、前記第１の溝部と前記第２の溝部とを所定の間隔で保持する棒状体と、を備えたことを特徴とする間隔保持装置である。
【００１９】
ファイルに綴じる資料には、見出ラベルや付箋などが取り付けられることがあるところ、第６の発明によれば、保持部の一例として棒状体が用いられるため、見出ラベルや付箋などに保持部が引っ掛かり難くなる。したがって、第６の発明によれば、見出ラベルや付箋などが保持部によって押しつぶされることにより、見出ラベルや付箋などが資料から剥がれ落ちたり、見出ラベルや付箋の取り付けられている部分から資料が破れてしまったりするということが防止される。
【発明の効果】
【００２０】
本発明によれば、ファイルを、これに綴じられている資料の枚数が少ない場合であっても、書棚や机の上等に並べて倒れないようにでき、また、背表紙の位置を揃えて複数のファイルを積み重ねてもファイルがすべり落ちることがないようにできる。
【発明を実施するための最良の形態】
【００２１】
以下に、添付した図面を参照しつつ、本発明を実施するための最良の形態を詳細に説明する。
【００２２】
［概略概念構成］
まず、図１を参照しつつ、本発明の実施の形態に係る間隔保持装置の概略概念構成について説明する。図１は、本発明の実施の形態に係る間隔保持装置の概略概念構成を示す図である。
【００２３】
図１に示すように、本発明の実施の形態に係る間隔保持装置Ａは、ファイル４００の一方表紙４１０を挟持する第１の挟持部１００と、ファイル４００の他方表紙４２０を挟持する第２の挟持部２００と、第１の挟持部１００と第２の挟持部２００とを所定の間隔で保持する保持部３００と、を備えている。
【００２４】
この間隔保持装置Ａによれば、保持部３００によって、第１、第２の挟持部１００、２００が所定の間隔で保持され、この所定の間隔で保持された第１、第２の挟持部１００、２００によってファイル４００の一方表紙４１０、他方表紙４２０が挟持される。したがって、本発明の実施の形態に係る間隔保持装置Ａによれば、ファイル４００における背表紙４３０から反対側に行くまでの幅が、これに綴じられている資料の枚数が少ない場合であっても、最大綴数を綴じた場合と同様に略一定に保持される。よって、本発明の実施の形態に係る間隔保持装置Ａによれば、ファイル４００は、これに綴じられている資料の枚数が少ない場合であっても自立できるようになり、書棚や机の上等に並べても倒れない。また、本発明の実施の形態に係る間隔保持装置Ａによれば、背表紙４３０の位置を揃えて複数のファイル４００を積み重ねた場合においても、資料の枚数が少ないファイルまたはこのファイルの上に積まれたファイルがすべり落ちるということがないようにできる。
【００２５】
なお、本発明において「資料」とは、何らかの方法を用いることによって、ファイルに綴じることができるすべてのものを意味し、書面、手紙、雑誌などの紙製品のみならず、ポケットを構成する薄い合成樹脂成形品なども含まれる。
【００２６】
［第１の実施の形態］
次に、第１の実施の形態に係る間隔保持装置Ｂについて説明する。
【００２７】
まず、図２を参照しつつ、第１の実施の形態に係る間隔保持装置Ｂをファイル４００に取り付けた様子を説明する。図２は、第１の実施の形態に係る間隔保持装置Ｂをファイル４００に取り付けた様子を示す図である。
【００２８】
図２に示すように、第１の実施の形態に係る間隔保持装置Ｂは、ファイル４００の一方表紙４１０と他方表紙４２０とを挟持し、これらを所定の間隔に保持する。第１の実施の形態に係る間隔保持装置Ｂによれば、ファイル４００における背表紙４３０から反対側に行くまでの幅が、これに綴じられている資料４４０の枚数が少ない場合であっても、最大綴数を綴じた場合と同様に略一定に保持される。よって、第１の実施の形態に係る間隔保持装置Ｂによれば、ファイル４００は、これに綴じられている資料４４０の枚数が少ない場合であっても自立できるようになり、書棚や机の上等に並べても倒れない。また、第１の実施の形態に係る間隔保持装置Ｂによれば、背表紙４３０の位置を揃えて複数のファイル４００を積み重ねた場合においても、資料の枚数が少ないファイルまたはこのファイルの上に積まれたファイルがすべり落ちるということがないようにできる。
【００２９】
この間隔保持装置Ｂは、第１の挟持部１００と、第２の挟持部２００と、保持部３００と、を備えている。以下、図３を参照しつつ、これらについて説明する。
図３は、第１の実施の形態に係る間隔保持装置Ｂの概略構成を示す図であり、図３（ａ）は、第１の実施の形態に係る間隔保持装置Ｂの概略斜視図（その１）、図３（ｂ）は、第１の実施の形態に係る間隔保持装置Ｂの概略斜視図（その２）、図３（ｃ）は、第１の実施の形態に係る間隔保持装置Ｂの概略平面図である。
【００３０】
（第１の挟持部１００）
第１の挟持部１００は、その一例である第１の溝部１１０により構成される。第１の溝部１１０には、溝１１１が形成されており、この溝１１１には、ファイル４００の一方表紙４１０が差し込まれる。第１の溝部１１０は、溝１１１に差し込まれたファイル４００の一方表紙４１０を挟持する。
【００３１】
溝１１１の幅は、ファイル４００の一方表紙４１０の幅よりも、所定の幅（たとえば、０．１ｍｍ以上２ｍｍ未満）だけ広くすることが好ましい。このようにすれば、ファイル４００の一方表紙４１０を、溝１１１に容易に差し込めるとともに、溝１１１から容易に抜き出すこともでき、また、溝１１１がファイル４００の一方表紙４１０から自然に取れてしまうということが防止される。
【００３２】
なお、溝１１１の内面には、複数の細かい刻み目が設けられたり、接着力が非常に弱い接着材を塗布されたりすることが好ましい。このようにすれば、溝１１１がファイル４００の一方表紙４１０から自然に取れてしまうということが、より一層防止される。
【００３３】
（第２の挟持部２００）
第２の挟持部２００は、その一例である第２の溝部２１０により構成されている。第２の溝部２１０には、溝２１１が形成されており、この溝２１１には、ファイル４００の他方表紙４２０が差し込まれる。第２の溝部２１０は、この溝２１１に差し込まれたファイル４００の他方表紙４２０を挟持する。
【００３４】
溝２１１の幅は、ファイル４００の他方表紙４２０の幅よりも、所定の幅（たとえば、０．１ｍｍ以上２ｍｍ未満）だけ広くすることが好ましい。このようにすれば、ファイル４００の他方表紙４２０を、溝２１１に容易に差し込めるとともに、溝２１１から容易に抜き出すこともでき、また、溝２１１がファイル４００の他方表紙４２０から自然に取れてしまうということが防止される。
【００３５】
なお、溝２１１の内面には、複数の細かい刻み目が設けられたり、接着力が非常に弱い接着材を塗布されたりすることが好ましい。このようにすれば、溝２１１がファイル４００の他方表紙４２０から自然に取れてしまうということが、より一層防止される。
【００３６】
（保持部３００）
保持部３００は、その一例である第３の溝部３１０により構成されている。第３の溝部３１０は、第１の溝部１１０と第２の溝部２１０との間に位置し、第１の溝部１１０と第２の溝部２１０とを所定の間隔で保持する。また、この第３の溝部３１０は、溝３１１を有しており、この溝３１１には、ファイル４００に綴じられている資料４４０の一部が挿入される。
【００３７】
溝３１１の幅は、ファイル４００の背表紙４３０の幅よりも、所定の幅（たとえば、０．１ｍｍ以上５ｍｍ未満）だけ狭くすることが好ましい。このようにすれば、間隔保持装置Ｂを取り付けることによって、ファイル４００に綴じることができる資料４４０の枚数が減少してしまうということがなく、ファイル４００には、その最大綴数（または最大綴数に近い枚数）の資料を綴じることができる。
【００３８】
なお、第１の実施の形態においては、第３の溝部３１０における溝１１１の深さが、第１の溝部１１０における溝１１１や第２の溝部２１０における溝２１１よりも、浅くされている。しかしながら、第３の溝部３１０における溝１１１の深さは、第１の溝部１１０における溝１１１や第２の溝部２１０における溝２１１よりも、深くされていることが好ましい。ファイル４００に綴じる資料４４０には、見出ラベルや付箋が取り付けられることがあるところ、上記のようにすれば、この見出ラベルや付箋が、第３の溝部３１０における溝１１１の底面によって押しつぶされるということが防止される。このため、上記のようにすれば、押しつぶしによって、見出ラベルや付箋が資料４４０から剥がれ落ちたり、見出ラベルや付箋の取り付けられている部分から資料４４０が破れてしまったりするということが防止される。
【００３９】
以上説明した第１の実施の形態に係る間隔保持装置Ｂにおいては、第１の溝部１１０と第２の溝部２１０と第３の溝部３１０とが一体形成されている。
【００４０】
書棚や机の上等に並べられるファイル４００は、頻繁に開け閉めされるものである。また、業務の忙しさに鑑みると、このようなファイル４００が丁寧に使用されることは期待し難い。したがって、間隔保持装置は、ファイル４００を雑な用い方で頻繁に開け閉めする場合においても、ファイル４００に簡単に取り付けることができ、手を煩わせることなく、忙しい業務の邪魔にならないものであることが望ましい。
この点、第１の実施の形態に係る間隔保持装置Ｂによれば、ファイル４００の一方表紙４１０、他方表紙４２０を挟持する第１、第２の溝部１１０、２１０と、これらの間に位置する第３の溝部３１０とが一体形成されているため、間隔保持装置を構成する一部の細かな部材が、ファイル４００を開け閉めしている最中に取れて、書棚や机等の下に転がり落ち、これを探すのに時間を割かなければならないという事態が防止され、また、発見した部材を取り出すために、数人掛かりで書棚や机等を動かさなければならなくなるという事態も防止される。
また、第１の実施の形態に係る間隔保持装置Ｂによれば、これをファイル４００に取り付ける場合、ファイル４００の一方表紙４１０、他方表紙４２０を第１、第２の溝部１１０、２１０に差し込めばよく、また、間隔保持装置Ｂをファイル４００から取り外す場合、ファイルの一方表紙４１０、他方表紙４２０を第１、第２の溝部１１０、２１０から抜き出せばよい。したがって、第１の実施の形態に係る間隔保持装置Ｂは、簡単な作業でファイル４００に取り付け、取り外すことができる。
よって、第１の実施の形態に係る間隔保持装置Ｂは、ファイル４００を雑な用い方で頻繁に開け閉めする場合においても、ファイル４００に簡単に取り付けることができ、手を煩わせることがなく、忙しい業務の邪魔にならないものである。
【００４１】
以上説明した第１の実施の形態に係る間隔保持装置Ｂは、合成樹脂を用いて作製できるほか、一枚の厚紙を折り曲げるなどして作製できる。
【００４２】
［第２の実施の形態］
次に、第２の実施の形態に係る間隔保持装置Ｃについて説明する。
【００４３】
まず、図４を参照しつつ、第２の実施の形態に係る間隔保持装置Ｃをファイル４００に取り付けた様子を説明する。図４は、第２の実施の形態に係る間隔保持装置Ｃをファイル４００に取り付けた様子を示す図である。
【００４４】
図４に示すように、第２の実施の形態に係る間隔保持装置Ｃは、ファイル４００の一方表紙４１０と他方表紙４２０とを挟持し、これらを所定の間隔に保持する。第２の実施の形態に係る間隔保持装置Ｃによれば、ファイル４００における背表紙４３０から反対側に行くまでの幅が、これに綴じられている資料４４０の枚数が少ない場合であっても、最大綴数を綴じた場合と同様に略一定に保持される。よって、第２の実施の形態に係る間隔保持装置Ｃによれば、ファイル４００は、これに綴じられている資料４４０の枚数が少ない場合であっても自立できるようになり、書棚や机の上等に並べても倒れない。また、第２の実施の形態に係る間隔保持装置Ｃによれば、背表紙４３０の位置を揃えて複数のファイル４００を積み重ねた場合においても、資料の枚数が少ないファイルまたはこのファイルの上に積まれたファイルがすべり落ちるということがないようにできる。
【００４５】
この間隔保持装置Ｃは、第１の挟持部１００と、第２の挟持部２００と、保持部３００と、を備えている。以下、図５を参照しつつ、これらについて説明する。
図５は、第２の実施の形態に係る間隔保持装置Ｃの概略概念構成を示す図であり、図５（ａ）は、第２の実施の形態に係る間隔保持装置Ｃが備える第１の挟持部１００と保持部３００との概略構成を示す図、図５（ｂ）は、第２の実施の形態に係る間隔保持装置Ｃが備える第２の挟持部２００と保持部３００との概略構成を示す図、図５（ｃ）は、第２の実施の形態に係る間隔保持装置Ｃの概略平面図である。
【００４６】
（第１の挟持部１００）
第１の挟持部１００は、その一例である第１の略Ｌ字部１２０（３２０）によって構成される。なお、この第１の略Ｌ字部１２０（３２０）は、保持部３００の一例でもあるため、図においては、符号１２０（３２０）で示している。
第１の略Ｌ字部１２０（３２０）は、略Ｌ字の形状を有しており、Ｌ字における一方の面がファイル４００の一方表紙４１０を挟持する溝１２１を有する形状とされている。また、Ｌ字における他方の面には、凹部１２２が形成されており、これによって、Ｌ字における他方の面が第１の組み合わせ部の一例とされている。
溝１２１には、ファイル４００の一方表紙４１０が差し込まれる。第１の略Ｌ字部１２０（３２０）は、溝１２１に差し込まれたファイル４００の一方表紙４１０を挟持し、これにより第１の挟持部１００としての役割を果たす。
【００４７】
溝１２１の幅は、ファイル４００の一方表紙４１０の幅よりも、所定の幅（たとえば、０．１ｍｍ以上２ｍｍ未満）だけ広くすることが好ましい。このようにすれば、ファイル４００の一方表紙４１０を、溝１２１に容易に差し込めるとともに、溝１２１から容易に抜き出すこともでき、また、溝１２１がファイル４００の一方表紙４１０から自然に取れてしまうということが防止される。
【００４８】
なお、溝１２１の内面には、複数の細かい刻み目が設けられたり、接着力が非常に弱い接着材を塗布されたりすることが好ましい。このようにすれば、溝１２１がファイル４００の一方表紙４１０から自然に取れてしまうということが、より一層防止される。
【００４９】
（第２の挟持部２００）
第２の挟持部２００は、その一例である第２の略Ｌ字部２２０（３２０）によって構成される。なお、この第２の略Ｌ字部２２０（３２０）は、保持部３００の一例でもあるため、図においては、符号２２０（３２０）として示している。
第２の略Ｌ字部２２０（３２０）は、略Ｌ字の形状を有しており、Ｌ字における一方の面は、第１の略Ｌ字部１２０（３２０）の凹部１２２に嵌合し得る形状の嵌合部２２２とされており、これによって、Ｌ字における一方の面が第２の組み合わせ部の一例とされている。また、第２の略Ｌ字部２２０（３２０）は、Ｌ字における他方の面がファイル４００の他方表紙４２０を挟持する溝２２１を有する形状とされている。
溝２２１には、ファイル４００の他方表紙４２０が差し込まれる。第２の略Ｌ字部２２０（３２０）は、溝２２１に差し込まれたファイル４００の他方表紙４２０を挟持し、これにより第２の挟持部２００としての役割を果たす。
【００５０】
溝２２１の幅は、ファイル４００の他方表紙４２０の幅よりも、所定の幅（たとえば、０．１ｍｍ以上２ｍｍ未満）だけ広くすることが好ましい。このようにすれば、ファイル４００の他方表紙４２０を、溝２２１に容易に差し込めるとともに、溝２２１から容易に抜き出すこともでき、また、溝２２１がファイル４００の他方表紙４２０から自然に取れてしまうということが防止される。
【００５１】
なお、溝２２１の内面には、複数の細かい刻み目が設けられたり、接着力が非常に弱い接着材を塗布されたりすることが好ましい。このようにすれば、溝２２１がファイル４００の他方表紙４２０から自然に取れてしまうということが、より一層防止される。
【００５２】
（保持部３００）
保持部３００は、その一例である第１の略Ｌ字部１２０（３２０）と第２の略Ｌ字部２２０（３２０）とによって構成される。より具体的に説明すると、保持部３００は、第１の略Ｌ字部１２０（３２０）における他方の面と第２の略Ｌ字部２２０（３２０）における一方の面とによって構成される。第１の略Ｌ字部１２０（３２０）の凹部１２２に、第２の略Ｌ字部２２０（３２０）の嵌合部２２２が嵌合されると、第１の略Ｌ字部１２０（３２０）と第２の略Ｌ字部２２０（３２０）とが、所定の間隔で保持される。
【００５３】
以上説明した第２の実施の形態に係る間隔保持装置Ｃにおいては、第１の略Ｌ字部１２０（３２０）の凹部１２２に、第２の略Ｌ字部２２０（３２０）の嵌合部２２２を嵌合させた場合に、第１の略Ｌ字部１２０（３２０）と第２の略Ｌ字部２２０（３２０）とが所定の間隔で保持され、第１の略Ｌ字部１２０（３２０）におけるＬ字の一方の面と第２の略Ｌ字部２２０（３２０）におけるＬ字の他方の面との間３２１には、ファイル４００に綴じる資料４４０の一部が挿入される。
【００５４】
第１の略Ｌ字部１２０（３２０）におけるＬ字の一方の面と第２の略Ｌ字部２２０（３２０）におけるＬ字の他方の面との間３２１の幅は、ファイル４００の背表紙４３０の幅よりも、所定の幅（たとえば、０．１ｍｍ以上５ｍｍ未満）だけ狭くすることが好ましい。このようにすれば、間隔保持装置Ｃを取り付けることによって、ファイル４００に綴じることができる資料４４０の枚数が減少してしまうということがなく、ファイル４００には、その最大綴数（または最大綴数に近い枚数）の資料を綴じることができる。
【００５５】
なお、第２の実施の形態においては、第１の略Ｌ字部１２０（３２０）におけるＬ字の一方の面と第２の略Ｌ字部２２０（３２０）におけるＬ字の他方の面との間３２１の深さが、第１の略Ｌ字部１２０（３２０）における溝１２１や第２の略Ｌ字部２２０（３２０）における溝２２１よりも、浅くされている。しかしながら、第１の略Ｌ字部１２０（３２０）におけるＬ字の一方の面と第２の略Ｌ字部２２０（３２０）におけるＬ字の他方の面との間３２１の深さは、第１の略Ｌ字部１２０（３２０）における溝１２１や第２の略Ｌ字部２２０（３２０）における溝２２１よりも、深くされていることが好ましい。ファイル４００に綴じる資料４４０には、見出ラベルや付箋が取り付けられることがあるところ、上記のようにすれば、この見出ラベルや付箋が、第１の略Ｌ字部１２０（３２０）におけるＬ字の他方の面によって押しつぶされるということが防止される。このため、上記のようにすれば、押しつぶしによって、見出ラベルや付箋が資料４４０から剥がれ落ちたり、見出ラベルや付箋の取り付けられている部分から資料４４０が破れてしまったりするということが防止される。
【００５６】
多数の資料４４０を綴じることができるファイル４００については、その背表紙４３０の幅が大きいため、このファイル４００に用いる間隔保持装置Ｃも、その形状が大きくなる。このような大きな間隔保持装置Ｃは、これをファイル４００に取り付けている際には業務の邪魔にならないが、これをファイル４００に取り付けることなく机の引き出しの中に入れて保管等している際には、邪魔になる。蓋し、このような大きな間隔保持装置Ｃは、鉛筆、消しゴムなどの筆記具や電卓などが事細かに整理整頓されている引き出しの中において幅を占めるため、筆記具や電卓などの取り扱いを不便にする上、場合によっては、引き出しの開け閉めの支障になるのである。
そこで、第２の実施の形態においては、第１の略Ｌ字部１２０（３２０）と第２の略Ｌ字部２２０（３２０）とを組み合わせて間隔保持装置Ｃを構成することにし、第１のＬ字部１２０（３２０）と第２のＬ字部２２０（３２０）とを組み外した場合に、これらを重ねることができるようにした。このようにすれば、間隔保持装置Ｃは、組み外された第１、第２の略Ｌ字部１２０（３２０）、２２０（３２０）を重ねた上、Ｌ字の角を机等の引き出しの一角などに合わせるようにして、収納することが可能となる。したがって、第３の実施の形態によれば、間隔保持装置Ｃは、筆記具や電卓などが事細かに整理整頓されている引き出しの中において幅を占めるということがなく、筆記具や電卓などの取り扱いや、引き出しの開け閉めの支障にならない。
【００５７】
次に、図６を参照しつつ、第１の略Ｌ字部１２０（３２０）の凹部１２２に、第２の略Ｌ字部２２０（３２０）の嵌合部２２２を嵌合させた様子について説明する。
図６は、第１の略Ｌ字部１２０（３２０）の凹部１２２に、第２の略Ｌ字部２２０（３２０）の嵌合部２２２を嵌合させた様子を示す図である。
図６に示すように、第２の実施の形態に係る間隔保持装置Ｃにおいては、第１の略Ｌ字部１２０（３２０）の凹部１２２と第２の略Ｌ字部２２０（３２０）の嵌合部２２２とが、嵌合位置を段階的に変えることができる形状に形成されている。このため、第２の実施の形態に係る間隔保持装置Ｃにおいては、ファイル４００の一方表紙を挟持する溝１２１とファイル４００の他方表紙４２０を挟持する溝２２１との間隔を段階的に変えることができる。
最大綴数の異なるファイル４００については、その背表紙４３０の幅が異なるため、それぞれ異なる大きさの間隔保持装置を用いる必要がある。しかしながら、最大綴数の異なる複数のファイル４００の使用者が、それぞれのファイル４００の背表紙４３０の幅を確認し、それぞれのファイル４００に適した大きさの間隔保持装置を購入・使用などしなければならないとすると、手間が掛かり、業務の支障となる。
そこで、第２の実施の形態においては、第１の略Ｌ字部１２０（３２０）の凹部１２２と第２の略Ｌ字部２２０（３２０）の嵌合部２２２とが、嵌合位置を段階的に変えることができる形状に形成されているものとすることにより、１つの間隔保持装置Ｃの大きさを、ファイル４００の背表紙４３０の幅に応じて変えることができるようにした。
よって、第２の実施の形態によれば、１つの間隔保持装置Ｃを最大綴数の異なる複数のファイル４００間で流用できるため、業務の負担を軽減できる。
【００５８】
なお、上述したように、第２の実施の形態においては、第１の略Ｌ字部１２０（３２０）におけるＬ字の他方の面に凹部１２２を形成することにより、第１の略Ｌ字部１２０（３２０）におけるＬ字の他方の面が第１の組み合わせ部とされ、第２の略Ｌ字部２２０（３２０）におけるＬ字の一方の面を嵌合部２２２とすることにより、第２の略Ｌ字部２２０（３２０）におけるＬ字の一方の面が第２の組み合わせ部とされることが好ましい。
しかしながら、本発明においては、第１の略Ｌ字部１２０（３２０）におけるＬ字の他方の面が第１の組み合わせ部とされ、第２の略Ｌ字部２２０（３２０）におけるＬ字の一方の面が第２の組み合わせ部とされる様々な形態が含まれる。
したがって、たとえば、第１の略Ｌ字部１２０（３２０）におけるＬ字の他方の面を嵌合部とすることにより、第１の略Ｌ字部１２０（３２０）におけるＬ字の他方の面が第１の組み合わせ部とされ、第２の略Ｌ字部２２０（３２０）におけるＬ字の一方の面に凹部を形成することにより、第２の略Ｌ字部２２０（３２０）におけるＬ字の一方の面が第２の組み合わせ部とされてもよい。
また、たとえば、第１の略Ｌ字部１２０（３２０）におけるＬ字の他方の面に突起を形成することにより、第１の略Ｌ字部１２０（３２０）におけるＬ字の他方の面が第１の組み合わせ部とされ、第２の略Ｌ字部２２０（３２０）におけるＬ字の一方の面に、当該突起に引っ掛かる引掛部を形成することにより、第２の略Ｌ字部２２０（３２０）におけるＬ字の一方の面が第２の組み合わせ部とされてもよい。
【００５９】
以上説明した第１の略Ｌ字部１２０（３２０）と第２の略Ｌ字部２２０（３２０）とは、合成樹脂を用いて作製できるほか、厚紙を用いて作製できる。
【００６０】
［第３の実施の形態］
次に、第３の実施の形態に係る間隔保持装置Ｄについて説明する。
【００６１】
まず、図７を参照しつつ、第３の実施の形態に係る間隔保持装置Ｄをファイル４００に取り付けた様子を説明する。図７は、第３の実施の形態に係る間隔保持装置Ｄをファイル４００に取り付けた様子を示す図である。
【００６２】
図７に示すように、第３の実施の形態に係る間隔保持装置Ｄは、ファイル４００の一方表紙４１０と他方表紙４２０とを挟持し、これらを所定の間隔に保持する。第３の実施の形態に係る間隔保持装置Ｄによれば、ファイル４００における背表紙４３０から反対側に行くまでの幅が、これに綴じられている資料４４０の枚数が少ない場合であっても、最大綴数を綴じた場合と同様に略一定に保持される。よって、第３の実施の形態に係る間隔保持装置Ｄによれば、ファイル４００は、これに綴じられている資料４４０の枚数が少ない場合であっても自立できるようになり、書棚や机の上等に並べても倒れない。また、第３の実施の形態に係る間隔保持装置Ｄによれば、背表紙４３０の位置を揃えて複数のファイル４００を積み重ねた場合においても、資料の枚数が少ないファイルまたはこのファイルの上に積まれたファイルがすべり落ちるということがないようにできる。
【００６３】
この間隔保持装置Ｄは、第１の挟持部１００と、第２の挟持部２００と、保持部３００と、を備えている。以下、図８、９を参照しつつ、これらについて説明する。
図８は、第３の実施の形態に係る間隔保持装置Ｄの概略斜視図であり、図８−１（ａ）は概略正面斜視図（その１）、図８−１（ｂ）は概略正面斜視図（その２）、図８−２（ａ）は概略背面斜視図（その１）、図８−２（ｂ）は、概略背面斜視図（その２）である。また、図９は、第３の実施の形態に係る間隔保持装置Ｄの概略平面図である。
【００６４】
（第１の挟持部１００）
第１の挟持部１００は、その一例である第１の手部１３０を備えている。この第１の手部１３０には溝１３１が形成されており、この溝１３１には、ファイル４００の一方表紙４１０が差し込まれる。第１の手部１３０は、第１の腕部３３２ａと第３の腕部３３２ｃとに支持され、溝１３１に差し込まれたファイル４００の一方表紙４１０を挟持する。
【００６５】
溝１３１の幅は、ファイル４００の一方表紙４１０の幅よりも、所定の幅（たとえば、０．１ｍｍ以上２ｍｍ未満）だけ広くすることが好ましい。このようにすれば、ファイル４００の一方表紙４１０を、溝１３１に容易に差し込めるとともに、溝１３１から容易に抜き出すこともでき、また、溝１３１がファイル４００の一方表紙４１０から自然に取れてしまうということが防止される。
【００６６】
なお、溝１３１の内面には、複数の細かい刻み目が設けられたり、接着力が非常に弱い接着材を塗布されたりすることが好ましい。このようにすれば、溝１３１がファイル４００の一方表紙４１０から自然に取れてしまうということが、より一層防止される。
【００６７】
（第２の挟持部２００）
第２の挟持部２００は、その一例である第２の手部２３０を備えている。この第２の手部２３０には溝２３１が形成されており、この溝２３１には、ファイル４００の他方表紙４２０が差し込まれる。第２の手部２３０は、第２の腕部３３２ｂと第４の腕部３３２ｄとに支持され、溝２３１に差し込まれたファイル４００の他方表紙４２０を挟持する。
【００６８】
溝２３１の幅は、ファイル４００の他方表紙４２０の幅よりも、所定の幅（たとえば、０．１ｍｍ以上２ｍｍ未満）だけ広くすることが好ましい。このようにすれば、ファイル４００の他方表紙４２０を、溝２３１に容易に差し込めるとともに、溝２３１から容易に抜き出すこともでき、また、溝２３１がファイル４００の他方表紙４２０から自然に取れてしまうということが防止される。
【００６９】
なお、溝２３１の内面には、複数の細かい刻み目が設けられたり、接着力が非常に弱い接着材を塗布されたりすることが好ましい。このようにすれば、溝２３１がファイル４００の他方表紙４２０から自然に取れてしまうということが、より一層防止される。
【００７０】
［保持部３００］
保持部３００は、胴体部３３１と、第１の肩部３３３と、第２の肩部３３４と、上下動停止部３３５と、第１〜第４の腕部３３２と、を一例として構成されている。以下、これらの各部材を順に説明する。
【００７１】
（胴体部３３１）
胴体部３３１には、４つの切欠３３１ａ〜３３１ｄが形成されている。
【００７２】
（第１の肩部３３３）
第１の肩部３３３は、胴体部３３１の一端に形成されている。なお、この第１の肩部３３３は、胴体部３３１の一端ではなく、胴体部３３１の一端よりに形成されていてもよい。
【００７３】
（第２の肩部３３４）
第２の肩部３３４は、胴体部３３１に沿った上下動が可能とされている。
【００７４】
（上下動停止部３３５）
上下動停止部３３５は、第２の肩部３３４に形成され、胴体部３３１の切欠３３１ａ〜３３１ｄのいずれかに嵌められることにより、第２の肩部３３４の上下動を停止させる。
【００７５】
（第１の腕部３３２ａ〜第４の腕部３３２ｄ）
第１の腕部３３２ａは第１の肩部３３３から一方に伸び、第２の腕部３３２ｂは第１の肩部３３３から他方に伸び、第３の腕部３３２ｃは第２の肩部３３４から一方に伸び、第４の腕部３３２ｄは第２の肩部３３４から他方に伸びる。第１の腕部３３２ａ〜第４の腕部３３２ｄは、薄い形状を有する接続部３３６によって、第１の肩部３３３、第２の肩部３３４、第１の手部１３０、第２の手部２３０に接続されている。
【００７６】
なお、このように、第３の実施の形態においては、第１の腕部３３２ａ〜第４の腕部３３２ｄが、薄い形状を有する接続部３３６によって第１の肩部３３３または第２の肩部３３４に接続された上、この接続された第１の肩部３３３または第２の肩部３３４から、その一方または他方に伸びることとした。しかしながら、本発明においては、第１の腕部３３２ａ〜第４の腕部３３２ｄが、第１の肩部３３３、第２の肩部３３４ともに一体形成され、この一体形成された第１の肩部３３３または第２の肩部３３４から、その一方または他方の伸びることとしてもよい。
【００７７】
図８−１（ａ）、（ｂ）（または図８−２（ａ）、（ｂ））示すように、この第３の実施の形態に係る間隔保持装置Ｄにおいては、第２の肩部３３４を胴体部３３１に沿って上下動させると、第１の手部１３０及び第２の手部２３０が、第１、第２、第３、及び第４の腕部３３２ａ〜３３２ｄによって、第１の手部１３０と第２の手部２３０との間隔３３０を変化させつつ持ち上げ又持ち下げられる。
そして、第２の肩部３３４の上下動停止部３３５を胴体部３３１の切欠３３１ａ〜３３１ｄのいずれかに嵌めると、第１、第２、第３、及び第４の腕部３３２ａ〜３３２ｄによる持ち上げ又は持ち下げが停止され、第１の手部１３０と第２の手部２３０との間隔３３０が所定の間隔に保持される。
【００７８】
次に、図１０を参照しつつ、胴体部３３１の切欠３３１ｂと第２の肩部３３４及び上下動停止部３３５とについて説明する。図１０は、胴体部３３１の切欠３３１ｂと第２の肩部３３４及び上下動停止部３３５との概略構成を示す図である。なお、切欠３３１ａ、３３１ｃ、３３１ｄについては、切欠３３１ｂと同様の構成を有しているので、説明を省略する。
図１０（ａ）に示すように、胴体部３３１の切欠３３１ｂは、円から細長い長方形が上下に伸びる形状とされている。また、図１０（ｂ）にしめすように、第２の肩部３３４は、直方体状の形状を有しており、この直方体状の第２の肩部３３４における胴体部３３１側の側面には、球状の上下動停止部３３５が形成されている。切欠３３１ｂを構成する円の半径は、球状の上下動停止部３３５の半径よりも、所定長さ（たとえば、０．１ｍｍ以上２ｍｍ未満）小さくされることが好ましい。このようにすれば、切欠３３１ｂに嵌められた上下動停止部３３５が切欠３３１ｂから外れてしまうということが防止される。
図１０（ｃ）に示すようにして、球状の上下動停止部３３５は、胴体部３３１の切欠３３１ｂに嵌められる。切欠３３１ｂを構成する円からは、細長い長方形が上下に伸びているため、球状の上下動停止部３３５は、切欠３３１ｂの円を拡開するようにして、切欠３３１ｂに嵌められる。
【００７９】
次に、図１１を参照しつつ、第１の手部１３０と第２の手部２３０とが、第１、第２、第３、及び第４の腕部３３２ａ〜３３２ｄによって持ち上げ又は持ち下げられる原理を説明する。
図１１は、第１の手部１３０と第２の手部２３０とが、第１、第２、第３、及び第４の腕部３３２ａ〜３３２ｄによって持ち上げ又は持ち下げられる原理を説明する図であり、図１１（ａ）は、第３の実施の形態に係る間隔保持装置Ｄの概略正面図（その１）、図１１（ｂ）は、第３の実施の形態に係る間隔保持装置Ｄの概略正面図（その２）である。また、図１１（ｃ）は、第３の実施の形態に係る間隔保持装置Ｄの概略正面における上部拡大図、図１１（ｄ）は、第３の実施の形態に係る間隔保持装置Ｄの概略正面における下部拡大図である。
図１１に示すように、第１の腕部３３２ａ〜第４の腕部３３２ｄは、薄い形状を有する接続部３３６によって、第１の肩部３３３、第２の肩部３３４、第１の手部１３０、第２の手部２３０に接続されている。
各腕部３３２ａ〜３３２ｄと、第１の肩部３３３、第２の肩部３３４、第１の手部１３０、または第２の手部２３０との間に形成される角度は、第２の肩部３３４を胴体部３３１に沿って上下動させることにより変化する。これにより、第１の腕部３３２ａ〜第４の腕部３３２ｄによる第１の手部１３０及び第２の手部２３０の持ち上げ又は持ち下げが行われ、第１の手部１３０と第２の手部２３０との間隔３３０が変化する。
第２の肩部３３４の上下動停止部３３５を胴体部３３１の切欠３３１ａ〜３３１ｄのいずれかに嵌めると、各腕部３３２ａ〜３３２ｄと、第１の肩部３３３、第２の肩部３３４、第１の手部１３０、または第２の手部２３０との間に形成される角度が一定となる。これにより、第１の腕部３３２ａ〜第４の腕部３３２ｄによる第１の手部１３０及び第２の手部２３０の持ち上げ又は持ち下げが停止され、第１の手部１３０と第２の手部２３０との間隔３３０が所定の間隔に保持される。
【００８０】
以上説明した第３の実施の形態に係る間隔保持装置Ｄによれば、第２の肩部３３４を胴体部３３１に沿って上下動させることにより、第１の手部１３０と第２の手部２３０との間隔３３０が変わる。したがって、第３の実施の形態によれば、１つの間隔保持装置Ｄを最大綴数の異なる複数のファイル４００間で流用することができ、業務の負担を軽減できる。
【００８１】
以上説明した第３の実施の形態に係る間隔保持装置Ｄは、合成樹脂を用いて作製できるほか、厚紙を用いて作製できる。
【００８２】
［第４の実施の形態］
次に、第４の実施の形態に係る間隔保持装置Ｅについて説明する。
【００８３】
まず、図１２を参照しつつ、第４の実施の形態に係る間隔保持装置Ｅをファイル４００に取り付けた様子を説明する。図１２は、第４の実施の形態に係る間隔保持装置Ｅをファイル４００に取り付けた様子を示す図である。
【００８４】
図１２に示すように、第４の実施の形態に係る間隔保持装置Ｅは、ファイル４００の一方表紙４１０と他方表紙４２０とを挟持し、これらを所定の間隔に保持する。第４の実施の形態に係る間隔保持装置Ｅによれば、ファイル４００における背表紙４３０から反対側に行くまでの幅が、これに綴じられている資料４４０の枚数が少ない場合であっても、最大綴数を綴じた場合と同様に略一定に保持される。よって、第４の実施の形態に係る間隔保持装置Ｅによれば、ファイル４００は、これに綴じられている資料４４０の枚数が少ない場合であっても自立できるようになり、書棚や机の上等に並べても倒れない。また、第４の実施の形態に係る間隔保持装置Ｅによれば、背表紙４３０の位置を揃えて複数のファイル４００を積み重ねた場合においても、資料の枚数が少ないファイルまたはこのファイルの上に積まれたファイルがすべり落ちるということがないようにできる。
【００８５】
この間隔保持装置Ｅは、第１の挟持部１００と、第２の挟持部２００と、保持部３００と、を備えている。以下、図１３を参照しつつ、これらについて説明する。
図１３は、第４の実施の形態に係る間隔保持装置Ｅの概略構成を示す図であり、図１３（ａ）は、第４の実施の形態に係る間隔保持装置Ｅの概略斜視図（その１）、図１３（ｂ）は、第４の実施の形態に係る間隔保持装置Ｅの概略斜視図（その２）、図１３（ｃ）は、第４の実施の形態に係る間隔保持装置Ｅの概略平面図である。
【００８６】
（第１の挟持部１００）
第１の挟持部１００は、その一例である第１の溝部１４０により構成される。第１の溝部１４０には、溝１４１が形成されており、この溝１４１には、ファイル４００の一方表紙４１０が差し込まれる。第１の溝部１４０は、溝１４１に差し込まれたファイル４００の一方表紙４１０を挟持する。
【００８７】
溝１４１の幅は、ファイル４００の一方表紙４１０の幅よりも、所定の幅（たとえば、０．１ｍｍ以上２ｍｍ未満）だけ広くすることが好ましい。このようにすれば、ファイル４００の一方表紙４１０を、溝１４１に容易に差し込めるとともに、溝１４１から容易に抜き出すこともでき、また、溝１４１がファイル４００の一方表紙４１０から自然に取れてしまうということが防止される。
【００８８】
なお、溝１４１の内面には、複数の細かい刻み目が設けられたり、接着力が非常に弱い接着材を塗布されたりすることが好ましい。このようにすれば、溝１４１がファイル４００の一方表紙４１０から自然に取れてしまうということが、より一層防止される。
【００８９】
（第２の挟持部２００）
第２の挟持部２００は、その一例である第２の溝部２４０により構成されている。第２の溝部２４０には、溝２４１が形成されており、この溝２４１には、ファイル４００の他方表紙４２０が差し込まれる。第２の溝部２４０は、この溝２４１に差し込まれたファイル４００の他方表紙４２０を挟持する。
【００９０】
溝２４１の幅は、ファイル４００の他方表紙４２０の幅よりも、所定の幅（たとえば、０．１ｍｍ以上２ｍｍ未満）だけ広くすることが好ましい。このようにすれば、ファイル４００の他方表紙４２０を、溝２４１に容易に差し込めるとともに、溝２４１から容易に抜き出すこともでき、また、溝２４１がファイル４００の他方表紙４２０から自然に取れてしまうということが防止される。
【００９１】
なお、溝２４１の内面には、複数の細かい刻み目が設けられたり、接着力が非常に弱い接着材を塗布されたりすることが好ましい。このようにすれば、溝２４１がファイル４００の他方表紙４２０から自然に取れてしまうということが、より一層防止される。
【００９２】
（保持部３００）
保持部３００は、その一例である円柱状棒３４０により構成されている。円柱状棒３４０は、その断面が円状であり、第１の溝部１４０と第２の溝部２４０との間に位置し、第１の溝部１４０と第２の溝部２４０とを所定の間隔で保持する。
【００９３】
円柱状棒３４０の長さは、ファイル４００の背表紙４３０の幅よりも、所定の幅（たとえば、０．１ｍｍ以上５ｍｍ未満）だけ狭くすることが好ましい。このようにすれば、間隔保持装置Ｅを取り付けることによって、ファイル４００に綴じることができる資料４４０の枚数が減少してしまうということがなく、ファイル４００には、その最大綴数（または最大綴数に近い枚数）の資料を綴じることができる。
【００９４】
ファイル４００に綴じる資料４４０には、見出ラベルや付箋などが取り付けられることがあるところ、第４の実施の形態に係る間隔保持装置Ｅによれば、保持部３００の一例として円柱状棒３４０という棒状体が用いられるため、見出ラベルや付箋などに保持部が引っ掛かり難くなる。したがって、第４の実施の形態に係る間隔保持装置Ｅによれば、見出ラベルや付箋などが保持部３００によって押しつぶされることにより、見出ラベルや付箋などが資料から剥がれ落ちたり、見出ラベルや付箋の取り付けられている部分から資料が破れてしまったりするということが防止される。
【００９５】
以上説明した第４の実施の形態に係る間隔保持装置Ｅにおいては、第１の溝部１４０と第２の溝部２４０と円柱状棒３４０とが一体形成されている。
【００９６】
書棚や机の上等に並べられるファイル４００は、頻繁に開け閉めされるものである。また、業務の忙しさに鑑みると、このようなファイル４００が丁寧に使用されることは期待し難い。したがって、間隔保持装置は、ファイル４００を雑な用い方で頻繁に開け閉めする場合においても、ファイル４００に簡単に取り付けることができ、手を煩わせることなく、忙しい業務の邪魔にならないものであることが望ましい。
この点、第４の実施の形態に係る間隔保持装置Ｅによれば、ファイル４００の一方表紙４１０、他方表紙４２０を挟持する第１、第２の溝部１４０、２４０と、これらの間に位置する円柱状棒３４０とが一体形成されているため、間隔保持装置を構成する一部の細かな部材が、ファイル４００を開け閉めしている最中に取れて、書棚や机等の下に転がり落ち、これを探すのに時間を割かなければならないという事態が防止され、また、発見した部材を取り出すために、数人掛かりで書棚や机等を動かさなければならなくなるという事態も防止される。
また、第４の実施の形態に係る間隔保持装置Ｅによれば、これをファイル４００に取り付ける場合、ファイル４００の一方表紙４１０、他方表紙４２０を第１、第２の溝部１４０、２４０に差し込めばよく、また、間隔保持装置Ｅをファイル４００から取り外す場合、ファイルの一方表紙４１０、他方表紙４２０を第１、第２の溝部１４０、２４０から抜き出せばよい。したがって、第４の実施の形態に係る間隔保持装置Ｅは、簡単な作業でファイル４００に取り付け、取り外すことができる。
よって、第４の実施の形態に係る間隔保持装置Ｅは、ファイル４００を雑な用い方で頻繁に開け閉めする場合においても、ファイルに簡単に取り付けることができるものであり、手を煩わせることがなく、忙しい業務の邪魔にならないものである。
【００９７】
以上説明した第４の実施の形態に係る間隔保持装置Ｅは、たとえば、合成樹脂を用いて作製できる。
【００９８】
なお、第４の実施の形態に係る間隔保持装置Ｅにおいては、保持部３００の一例である棒状体として円柱状棒３４０を用いたが、棒状体としては、たとえば、断面が三角形状となる三角柱棒や断面が四角形状となる四角柱棒などの多角柱棒を用いることができる。
【００９９】
なお、上記第４の実施の形態のように、棒状体として円柱状棒を用いれば、見出ラベルや付箋などは、その一部が円柱状棒に当たる場合であっても、円柱状棒の側面に沿って、円柱状棒の上または下に緩やかに押し出される。このため、第４の実施の形態のようにして、保持部３００の一例としての棒状体に円柱状棒３４０を用いる場合には、保持部３００による見出ラベルや付箋などの押しつぶしが軽減され、見出ラベルや付箋などが資料から剥がれ落ちたり、見出ラベルや付箋の取り付けられている部分から資料が破れてしまったりするということがより一層防止される。
【０１００】
なお、棒状体として三角柱棒や四角柱棒などの多角柱棒を用いる場合には、図１４に示すように、棒状体におけるファイル４００側の上部及び下部が傾斜面となるように構成することが好ましい。このようにすれば、見出ラベルや付箋などは、その一部が多角柱棒に当たる場合であっても、多角柱棒の傾斜面に沿って、多角柱棒の上または下に緩やかに押し出される。このため、保持部３００としての多角柱棒による見出ラベルや付箋などの押しつぶしが軽減され、見出ラベルや付箋などが資料から剥がれ落ちたり、見出ラベルや付箋の取り付けられている部分から資料が破れてしまったりするということがより一層防止される。
なお、図１４は、第４の実施の形態に係る間隔保持装置Ｅの概略構成（棒状体として多角柱棒を用いる場合）を示す図であり、図１４（ａ）は、三角柱棒を用いる場合の概略斜視図（その１）、図１４（ｂ）は、三角柱棒を用いる場合の概略斜視図（その２）、図１４（ｃ）は、四角柱棒を用いる場合の概略斜視図（その１）、図１４（ｄ）は、四角柱棒を用いる場合の概略斜視図（その２）である。
【実施例１】
【０１０１】
次に、図１５（ａ）、（ｂ）を参照しつつ、本発明の実施の形態に係る間隔保持装置Ｂを用いて、本発明の実施例１について説明する。図１５（ａ）、（ｂ）は、本発明の実施例１を説明する図である。
図１５（ａ）、（ｂ）に示すように、本発明の実施の形態に係る間隔保持装置Ｂによれば、ファイルにおける背表紙から反対側に行くまでの幅が、これに綴じられている資料（図示略）の枚数が少ない場合であっても、最大綴数を綴じた場合と同様に略一定に保持される。このため、ファイルは、これに綴じられている資料の枚数が少ない場合であっても自立できるようになり、書棚や机の上等に並べても倒れない。
【０１０２】
（比較例１）
図１５（ｃ）、（ｄ）は、比較例１を説明する図である。図１５（ｃ）、（ｄ）に示すように、本発明に係る間隔保持装置を用いない場合は、ファイルに綴じられている資料（図示略）の枚数が少ないと、ファイルの幅が背表紙から反対側に行くに従って幅狭となり、いつ倒れるか分からないというような不安定な形状となる（図１５（ｃ）参照）。このため、たとえ、これを複数並べてブックエンドで支持しても、自らの自重でブックエンドを押し倒して倒れてしまう（図１５（ｄ）参照）。
【実施例２】
【０１０３】
次に、図１６（ａ）、（ｂ）を参照しつつ、本発明の実施の形態に係る間隔保持装置Ｂを用いて、本発明の実施例２について説明する。図１６（ａ）は本発明の実施例２を説明する図であり、図１６（ｂ）は図１６（ａ）のＡ−Ａ断面図である。
図１６（ａ）、（ｂ）に示すように、本発明の実施の形態に係る間隔保持装置Ｂによれば、ファイルにおける背表紙から反対側に行くまでの幅が、これに綴じられている資料（図示略）の枚数が少ない場合であっても、最大綴数を綴じた場合と同様に略一定に保持される。このため、背表紙の位置を揃えて複数のファイルを積み重ねた場合においても、資料の枚数が少ないファイルまたはこのファイルの上に積まれたファイルがすべり落ちるということがない。
【０１０４】
（比較例２）
図１７（ａ）、（ｂ）、（ｃ）は、比較例２を説明する図である。図１７（ａ）、（ｂ）、（ｃ）に示すように、本発明に係る間隔保持装置を用いない場合は、ファイルに綴じられている資料（図示略）の枚数が少ないと、ファイルの幅が背表紙から反対側に行くに従って幅狭となる。このため、複数のファイルを立て並べることなく積み重ねることとした場合においても、背表紙の位置を揃えると、資料の枚数が少ないファイルまたはこのファイルの上に積まれたファイルがすべり落ちる。このすべり落ちを防止するためには、背表紙の位置を交互にするなどしてファイルを積み重ねなければならないが（図示略）、このようにすると、背表紙に貼り付けられているラベルなどを一方向から容易に確認するということができない。
【０１０５】
以上、本発明の実施の形態について説明したが、これらの説明は本発明の一例に関する説明であり、本発明は上記説明によって何ら限定されるものではない。
【図面の簡単な説明】
【０１０６】
【図１】本発明の実施の形態に係る間隔保持装置の概略概念構成を示す図である。
【図２】第１の実施の形態に係る間隔保持装置Ｂをファイル４００に取り付けた様子を示す図である。
【図３】第１の実施の形態に係る間隔保持装置Ｂの概略構成を示す図である。
【図４】第２の実施の形態に係る間隔保持装置Ｃをファイル４００に取り付けた様子を示す図である。
【図５】第２の実施の形態に係る間隔保持装置Ｃの概略概念構成を示す図である。
【図６】第１の略Ｌ字部１２０（３２０）の凹部１２２に、第２の略Ｌ字部２２０（３２０）の嵌合部２２２を嵌合させた様子を示す図である。
【図７】第３の実施の形態に係る間隔保持装置Ｄをファイル４００に取り付けた様子を示す図である。
【図８−１】（ａ）は第３の実施の形態に係る間隔保持装置Ｄの概略正面斜視図（その１）であり、（ｂ）は第３の実施の形態に係る間隔保持装置Ｄの概略正面斜視図（その２）である。
【図８−２】（ａ）は第３の実施の形態に係る間隔保持装置Ｄの概略背面斜視図（その１）であり、（ｂ）は第３の実施の形態に係る間隔保持装置Ｄの概略背面斜視図（その２）である。
【図９】第３の実施の形態に係る間隔保持装置Ｄの概略平面図である。
【図１０】胴体部３３１の切欠３３１ｂと第２の肩部３３４及び上下動停止部３３５との概略構成を示す図である。
【図１１】第１の手部１３０と第２の手部２３０とが、第１、第２、第３、及び第４の腕部３３２ａ〜３３２ｄによって持ち上げ又は持ち下げられる原理を説明する図である。
【図１２】第４の実施の形態に係る間隔保持装置Ｅをファイル４００に取り付けた様子を示す図である。
【図１３】第４の実施の形態に係る間隔保持装置Ｅの概略構成を示す図である。
【図１４】第４の実施の形態に係る間隔保持装置Ｅの概略構成（棒状体として多角柱棒を用いる場合）を示す図である。
【図１５】（ａ）、（ｂ）は、本発明の実施例１を説明する図であり、（ｃ）、（ｄ）は、比較例１を説明する図である。
【図１６】（ａ）は本発明の実施例２を説明する図であり、（ｂ）は図１６（ａ）のＡ−Ａ断面図である。
【図１７】比較例２を説明する図である。
【符号の説明】
【０１０７】
Ａ、Ｂ、Ｃ、Ｄ、Ｅ    間隔保持装置
１００    第１の挟持部
１１０    第１の溝部
１１１    溝
１２０（３２０）    第１の略Ｌ字部
１２１    溝
１２２    凹部
１３０    第１の手部
１３１    溝
１４０    第１の溝部
１４１    溝
２００    第２の挟持部
２１０    第２の溝部
２１１    溝
２２０（３２０）    第２の略Ｌ字部
２２１    溝
２２２    嵌合部
２３０    第２の手部
２３１    溝
２４０    第２の溝部
２４１    溝
３００    保持部
３１０    第３の溝部
３１１    溝
３２０（１２０、２２０）    第１の略Ｌ字部、第２の略Ｌ字部
３２１    第１の略Ｌ字部１２０（３２０）と第２の略Ｌ字部２２０（３２０）との間
３３０    第１の手部１３０と第２の手部２３０との間隔
３３１    胴体部
３３１ａ、３３１ｂ、３３１ｃ、３３１ｄ    切欠
３３２ａ    第１の腕部
３３２ｂ    第２の腕部
３３２ｃ    第３の腕部
３３２ｄ    第４の腕部
３３３    第１の肩部
３３４    第２の肩部
３３５    上下動停止部
３３６    接続部
３４０    円柱状棒
４００    ファイル
４１０    一方表紙
４２０    他方表紙
４３０    背表紙
４４０    資料
【図１】
2009006483.tif 000003
【図２】
2009006483.tif 000004
【図３】
2009006483.tif 000005
【図４】
2009006483.tif 000006
【図５】
2009006483.tif 000007
【図６】
2009006483.tif 000008
【図７】
2009006483.tif 000009
【図８−１】
2009006483.tif 000010
【図８−２】
2009006483.tif 000011
【図９】
2009006483.tif 000012
【図１０】
2009006483.tif 000013
【図１１】
2009006483.tif 000014
【図１２】
2009006483.tif 000015
【図１３】
2009006483.tif 000016
【図１４】
2009006483.tif 000017
【図１５】
2009006483.tif 000018
【図１６】
2009006483.tif 000019
【図１７】
2009006483.tif 000020